(57)【要約】本発明は、光ガイド（４）における光伝搬の増加を生成する、自動車の信号灯用の照明デバイス（２Ａ、２Ｂ、２Ｃ、２Ｄ）に関する。このために、照明デバイス（２Ａ、２Ｂ、２Ｃ、２Ｄ）は、前面（６）によって画定されている光ガイド（４）と、光ガイド（４）の第１の端部（１２）を照明する光源（１８）と、光源（１８）と光ガイドの前面（６）の一部との前に位置決めされている第１のマスク（２０）とを含み、第１のマスク（２０）は、光ガイドの前面（６）を見る観察者から光源（１８）を隠す。有利なことに、第１のマスク（２０）に面する光ガイドの前面（６）は、光源（１８）によって放出されている光を反射する分離層（２２）によって少なくとも部分的に覆われている。
2020520047.tif 000002
【特許請求の範囲】
【請求項１】
前面（６）によって画定されている光ガイド（４）と、前記光ガイド（４）の第１の端部（１２）を照明する光源（１８）と、前記光源（１８）と前記光ガイドの前記前面（６）の一部との前に位置決めされている第１のマスク（２０）とを含み、前記第１のマスク（２０）は、前記光ガイドの前記前面（６）を見る観察者に対して前記光源（１８）を隠し、前記第１のマスク（２０）と反対側の前記光ガイドの前記前面（６）は、前記光源（１８）によって放出されている光を反射する中間層（２２）によって少なくとも部分的に覆われている照明デバイス（２Ａ、２Ｂ、２Ｃ、２Ｄ、２Ｅ、２Ｆ）であって、
前記中間層（２２）は、前記光ガイド（４）の前記前面（６）を覆う前記第１のマスク（２０）の端部（２４）から後退されていることを特徴とする、照明デバイス。
【請求項２】
前記中間層（２２）は、前記第１のマスク（２０）の後部に隠されている前記光ガイド（４）の前記第１の端部（１２）と前記前面（６）の一部を隠す前記第１のマスク（２０）の端部（２４）との間に、前記光ガイド（４）において前記光源（１８）によって放出されている前記光の伝搬方向へ、前記前面（６）に沿って連続的に延在することを特徴とする、請求項１に記載の照明デバイス。
【請求項３】
前記中間層（２２）は、前記第１のマスク（２０）の後部に隠されている前記光ガイド（４）の前記前面（６）の１０％と１００％との間を覆うことを特徴とする、請求項１又は２に記載の照明デバイス。
【請求項４】
前記中間層（２２）は、前記第１のマスク（２０）の後部に隠されている前記光ガイド（４）の前記前面（６）の端部を覆うことを特徴とする、請求項１〜３のいずれか一項に記載の照明デバイス。
【請求項５】
前記第１のマスク（２０）の前記端部（２４）は、観察者に対して前記中間層（２２）を完全に隠すように、前記光ガイド（４）の前記前面（６）の方へ湾曲されていることを特徴とする、請求項４に記載の照明デバイス。
【請求項６】
前記中間層（２２）の厚さは、５ｍｍ未満、好ましくは１ｍｍ未満であることを特徴とする、請求項１〜５のいずれか一項に記載の照明デバイス。
【請求項７】
前記中間層（２２）は、前記第１のマスク（２０）と接触していることを特徴とする、請求項１〜６のいずれか一項に記載の照明デバイス。
【請求項８】
前記光ガイド（４）は、前記光ガイド（４）で伝搬する前記光を回折させる手段（２６）を含むことを特徴とする、請求項１〜７のいずれか一項に記載の照明デバイス。
【請求項９】
前記第１のマスク（２０）は、１つ又は幾つかの回折手段（２６）を覆うことを特徴とする、請求項８に記載の照明デバイス。
【請求項１０】
前記回折手段（２６）は、前記光ガイド（４）の後面（８）に設けられている空洞を含み、前記後面（８）は、前記光ガイド（４）の前記前面（６）と反対側であることを特徴とする、請求項８又は９に記載の照明デバイス。
【請求項１１】
前記光ガイド（４）は、第２のマスク（２１）が前記光ガイドの前記前面（６）と面一にあるように、前記第２のマスク（２１）を収容する溝を第２の端部（１４）で含むことを特徴とする、請求項１〜１０のいずれか一項に記載の照明デバイス。
【請求項１２】
請求項１〜１１のいずれか一項に記載の照明デバイス（２Ａ、２Ｂ、２Ｃ、２Ｄ、２Ｅ、２Ｆ）を含む自動車用の合図灯。
【請求項１３】
前記光ガイド（４）は、前記合図灯の中間スクリーン又は外部スクリーンを形成することを特徴とする、請求項１２に記載の合図灯。
【請求項１４】
請求項１３に記載の合図灯（３）を含む自動車。
【請求項１５】
請求項１〜１１のいずれか一項に記載の照明デバイスを製造する方法であって、前記第１のマスク（２０）を形成するように、前記光ガイドの前記前面（６）の一部に配置される前記中間層（２２）をオーバーモールドするステップを実行する方法。
【発明の詳細な説明】
【技術分野】
【０００１】
本発明は、自動車用の信号及び／又は合図灯の技術分野に関する。本発明は、より詳細には、実質的に均一に照明された光ガイドを含む、自動車合図灯用の照明デバイスに関する。
【背景技術】
【０００２】
施行中の規則は、自動車の種類に応じて異なる照明又は合図灯を必要とする。しかし、全ての灯の体積に加えて、分類された個々の灯の均一性及び照明性能は、主要な関心事である。
【０００３】
車両の方向の変更又は位置を示す光信号を表示するために薄いスクリーンを大体均一に照明する照明デバイスは、先行技術から知られている。図１は、後面８と平行な前面６によって画定されている光ガイド４を含む、照明デバイス１のこの種類の例を示す。前面及び後面は、これらの前面及び後面を接続する側面１０によって画定されている。従って、光ガイド４は、第１の端部１２と第２の端部１４との間に、縦方向（Ａ−Ａ’）に延在する実質的に平面のスクリーンを形成する。光ガイド２は、第１の端部と第２の端部との間で、発光ダイオード１８により放出された光線１６の伝搬を可能にするために、透明である。より正確には、発光ダイオード１８は、光ガイドの第１の端部１２で位置決めされて、光ガイドの側面１０を照明する。
【０００４】
光ガイド４に沿った実質的に均一な照明の印象を与えるために、マスク２０は、発光ダイオード１８の前に、光ガイド４の前面６の一部に対して位置決めされる。このマスクは、光ガイド４で伝搬する光線１６Ａの分離及び／又は吸収を支持する、前面６の反射の特性を局所的に変更する。このように、発光ダイオード１８によって放出された光線１６Ａの一部は、光ガイド４で伝搬する光信号の強度を減らす効果のあるマスク２０で失われる。
【発明の概要】
【発明が解決しようとする課題】
【０００５】
本発明の目的は、光ガイドにおけるより大量の光の伝搬を支持しながら、光ガイドに沿って実質的に均一に照明された光ガイドを含む、自動車合図灯用の照明デバイスを提案することによって、この問題を解決することにある。
【課題を解決するための手段】
【０００６】
この目的を達成するために、本発明は、前面によって画定されている光ガイドと、光ガイドの第１の端部を照明する光源と、光源と光ガイドの前面の一部との前に位置決めされている第１のマスクとを含み、第１のマスクは、光ガイドの前面を見る観察者に対して光源を隠す照明デバイスを提案する。換言すれば、本例において、観察者は、光ガイドの前面に面する。
【０００７】
本発明は、第１のマスクと反対側の光ガイドの前面が、光源によって放出されている光を反射する中間層によって少なくとも部分的に覆われていることを特徴とする。
【０００８】
光ガイドと第１のマスクとの間に介在されている中間層は、光源によって放出されている光を反射することができ、従って、第１のマスクにおいて光ガイドで伝搬する光の分離の現象を制限することができる。このように、中間層は、光ガイドにおけるより大量の光の伝搬を支持する。好ましくは、光ガイドで伝搬する光量を最適化するために、中間層は、光源によって放出されている光を完全に反射する。
【０００９】
本発明の第１の実施形態によれば、中間層は、第１のマスクの後部に隠されている光ガイドの第１の端部と前記前面の一部を隠す第１のマスクの端部との間に、光ガイドにおいて光源によって放出されている光の伝搬方向へ、前面に沿って連続的に延在する。
【００１０】
本発明の別の実施形態によれば、中間層は、第１のマスクの後部に隠されている光ガイドの前面の１０％と１００％との間、好ましくは７０％と９０％との間を覆う。
【００１１】
本発明の別の実施形態によれば、中間層は、第１のマスクの後部に隠されている光ガイドの前面の端部を覆う。前面の端部は、光ガイドの第１の端部に対応する。換言すれば、中間層は、光ガイドの第１の端部を画定する側面の縁まで延在する。
【００１２】
本発明の別の実施形態によれば、中間層は、光ガイドの前面を覆う第１のマスクの端部から後退されている。有利なことに、この実施形態は、中間層が、光ガイドの前面を覆う第１のマスクの端部で目に見えないようにすることができる。別の利点によれば、これにより、中間層の縁でホットスポットの印象を軽減することもできる。ここで、「ホットスポット」は、光源によってより強く照明された光ガイドの領域を意味する。この後退の値は、数ミリメートルと数十ミリメートルとの間、好ましくは５ｍｍと１５ｍｍとの間、又は５ｍｍと１０ｍｍとの間に含まれ、好ましくは６ｍｍのオーダーである。
【００１３】
本発明の別の実施形態によれば、第１のマスクの端部は、観察者に対して中間層を完全に隠すように、光ガイドの前面の方へ湾曲されている。好ましくは、前記前面と協力して、湿気及び塵埃から分離膜を保護するハウジングを形成するために、第１のマスクの端部は、光ガイドの前面と接触している。
【００１４】
本発明の別の実施形態によれば、中間層の厚さは、５ｍｍ未満、好ましくは１ｍｍ未満である。
【００１５】
本発明の別の実施形態によれば、中間層は、第１のマスクと接触している。有利なことに、この実施形態により、照明デバイスの厚さを最小化することができる。
【００１６】
本発明の別の実施形態によれば、中間層は、アルミニウム、銀又はクロムの種類の金属材料から形成されている。
【００１７】
本発明の別の実施形態によれば、光ガイド全体を通る光の伝搬を支持するように、光ガイドは、透明又は半透明の態様の材料から形成されている。一例として、光ガイドは、次の材料ポリ（メチルメタクリレート（ＰＭＭＡ）及び／又はポリカーボネート（ＰＣ））のうち１つから形成されてもよい。当然、これらの例は、網羅的ではない。
【００１８】
本発明の別の実施形態によれば、光源は、少なくとも１つの発光ダイオードを含む。好ましい実施形態によれば、光源は、光ガイドで異なる色の光情報を表示する異なる色の幾つかの発光ダイオードを含む。一例として、光源は、本発明による照明デバイスを設けた自動車の方向の変更を合図する黄色、及び／又は前記自動車の後方移動を合図する白色、及び／又はこの自動車の位置標示及び／又はブレーキを合図する赤色を用いて、光ガイドを照明するように構成されてもよい。
【００１９】
本発明の別の実施形態によれば、照明デバイスは、光ガイドの別の端部、好ましくは光ガイドの第１の端部と反対側の光ガイドの第２の端部を照明する別の光源を含む。有利なことに、この実施形態により、一層大きいサイズの光ガイドをより均一に照明することができる。
【００２０】
好ましい実施形態によれば、光ガイドは、第２のマスクが光ガイドの前面と面一にあるように、第２のマスクを収容する溝を第２の端部で含む。第２のマスクは、光ガイドの第２の端部でホットスポットの印象を制限することができる。この実施形態により、光ガイドの前面及び第２のマスクの前面で平面を形成することもできる。これにより、より美的な効果が生成される。別の利点によれば、光ガイドの前面と第２のマスクの前面との間の位置合わせは、塵埃を保持し易い突起を有しない同一面を形成する。従って、照明デバイスは、保守するのに一層単純である。別の利点によれば、この同一面で突起が無いと、このような照明デバイスを設けた自動車と歩行者との間の衝突の場合に損傷の危険性が制限される。
【００２１】
本発明の別の実施形態によれば、第２のマスクと反対側の光ガイドの前面は、他の光源によって放出されている光を反射する別の中間層によって少なくとも部分的に覆われている。第１のマスクと反対側の中間層に関する上述の異なる変型実施形態は、他の中間層と置き換え可能である。
【００２２】
本発明の別の実施形態によれば、光ガイドは、光ガイドで伝搬する光を回折させる手段を含む。回折手段は、光ガイドの縦軸（Ａ−Ａ’）と実質的に垂直な少なくとも１つの方向に光を反射するように構成されている。回折手段は、特に、第１のマスク及び／又は第２のマスクによって覆われていない光ガイドの部分に存在する。その結果、この回折手段によって回折させた光は、光ガイドの前面を見る観察者によって一層容易に見える。
【００２３】
好ましい実施形態によれば、第１のマスク及び／又は第２のマスクは、１つ又は幾つかの回折手段を覆う。有利なことに、この実施形態により、第１のマスク又は第２のマスクの後部で観察する視角を観察者が傾ける場合、観察者は、第１のマスク又は第２のマスクを越えて光をより良く感知することができる。一例として、第１の回折手段は、５ｍｍと１５ｍｍとの間に含まれ、好ましくは１０ｍｍのオーダーである、光ガイドを覆う第１のマスク及び／又は第２のマスクの一方の端部からある距離を置いて位置決めされることによって、第１のマスク及び／又は第２のマスクから後退されていてもよい。当然、これらの値は、光源の電力、第１のマスク及び／又は第２のマスクの長さ、及び光ガイドの厚さに応じて調整可能である。
【００２４】
本発明の好ましい実施形態によれば、回折手段は、光ガイドの後面に設けられている空洞を形成し、この後面は、光ガイドの前面と反対側である。代替の実施形態によれば、この後面は、粒状である。
【００２５】
本発明の別の実施形態によれば、光ガイドは、光ガイドの前面で三次元表面を形成するように、少なくとも１つの凹面及び／又は少なくとも１つの凸面を形成する。この実施形態により、照明デバイスは、光学ケースの形状、及び／又は本発明による照明デバイスを設けた自動車の車体の輪郭に対して、一層適応することができる。
【００２６】
上述の異なる特徴、変型例及び実施形態は、それらが互いに矛盾しない又は排他的でない限り、様々な組み合わせに応じて互いに対応付けられてもよい。
【００２７】
更に、本出願は、上述のような照明デバイスを製造する方法であって、光ガイドの前面の一部に中間層をオーバーモールドするステップ、そして中間層の少なくとも一部に第１のマスクを固定するステップを実行する方法に関する。限定されない例として、既知の手段を用いて、第１のマスクを中間層に貼り付けてもよい。代替案によれば、第１のマスクの面に対して中間層を塗布する第１のステップ中に、本発明による照明デバイスを製造し、次に、既知の手段を用いて、光ガイドの前面と反対側に、第１のマスクを維持し、その結果、中間層は、前記前面と接触している。変型実施形態によれば、上述のような照明デバイスを製造する方法は、第１のマスクを形成するように、光ガイドの前面の一部に中間層をオーバーモールドするステップを実行する。有利なことに、上述のオーバーモールド技法により、光ガイドの前面で、外部環境から中間層を保護することができる。
【００２８】
更に、本発明は、上述のような照明デバイスを含む自動車用の合図灯又は側灯に関する。照明デバイスの光ガイドは、合図灯の中間スクリーンを形成してもよい。
【００２９】
好ましくは、光ガイドは、合図灯の外部スクリーンを形成する。「外部スクリーン」は、光学ケースに存在する構成要素を外部環境から保護するように、照明デバイスを収容する光学ケースの一部を光ガイドが閉じるということを意味する。有利なことに、光ガイドは、次の２つの機能、光学ケースに存在する構成要素を保護する機能、及び本発明による合図灯を設けた自動車の方向の変更及び／又は位置を観察者に警告するために光信号を光ガイドに表示する機能を同時に保証する。従って、特定の保護スクリーンをもはや使用する必要がなく、有利なことに、このようなスクリーンなしで済ますことができ、合図灯の奥行きだけでなく合図灯の重量も減らすことができる。「奥行き」は、光ガイドの前面と実質的に垂直な方法における合図灯のサイズを意味する。一例として、本発明による合図灯の奥行きは、したがって５０ｍｍ以下又は１５ｍｍ以下、好ましくは９ｍｍ以下であってもよい。
【００３０】
本発明によって提案されるような浅い合図灯は、より小さい容積のために、より幅広い種類の車体に一層適応することができる。そのようなものとして本発明による合図灯を、自動車の前面、及び／又は１つの側面、及び／又は後面に位置決めしてもよい。このように、本発明は更に、上述のような合図灯を含む自動車に関する。
【００３１】
本発明は、限定されない例として与えられ、概略的な添付図面を参照して説明される好ましい実施形態に関する下記の説明によって、より良く理解されるであろう。
【図面の簡単な説明】
【００３２】
【図１】最新技術による照明デバイスの略縦断面図である。
【図２】本発明による照明デバイスの第１の実施形態の略縦断面図である。
【図３】本発明による照明デバイスの第２の実施形態の略縦断面図である。
【図４】本発明による照明デバイスの第３の実施形態の略縦断面図である。
【図５】本発明による照明デバイスの第４の実施形態の略縦断面図である。
【図６】本発明による照明デバイスの第５の実施形態の略縦断面図である。
【図７】本発明による照明デバイスの第６の実施形態の略縦断面図である。
【図８】図７による照明デバイスを含む合図灯の略縦断面図である。
【図９】図８による合図灯の前面の正面図である。
【発明を実施するための形態】
【００３３】
確認として、本発明は、光ガイドにおけるより大量の光の伝搬を支持しながら、光ガイドに沿って実質的に均一に照明された光ガイドを含む、自動車合図灯用の照明デバイスを提案する。
【００３４】
図２に例示する第１の実施形態によれば、本発明による照明デバイス２Ａは、光ガイド４が光ガイドの前面６で実質的に凸であるという点、及び前面６と第１のマスク２０との間に介在された中間層２２を含むという点で、上述の照明デバイス１と異なる。これらの２つの照明デバイス１及び２Ａの間の同じ要素を同じ参照符号で示すことに留意すべきである。
【００３５】
より正確には、中間層２２は、光ガイドの前面６及び第１のマスク２０と接触している。中間層２２は、発光ダイオード１８によって放出された光線１６に対して、少なくとも部分的に反射する、好ましくは全反射する。従って、有利なことに、発光ダイオード１８によって放出されたより大量の光が、光ガイド４で伝搬する。このように、光ガイド４は、光ガイドの前面６を見る観察者によって、上述の光ガイド１よりも明るいと感じられる。
【００３６】
限定されない例として、中間層２２は、アルミニウムから形成される。中間層２２は、第１のマスク２０によって隠された、光ガイド４の第１の端部１２から、光ガイド４の前面６の一部を隠す第１のマスクの端部２４まで延在する。換言すれば、中間層２２は、光ガイド４の前面６を隠す第１のマスク２０の全長Ｌ又は１００％にわたって延在する。
【００３７】
好ましくは、中間層２２は、照明デバイス２Ａの全厚を最適化するために、出来るだけ薄い。当然、中間層は、光ガイド４で伝搬する光線１６の大部分を反射するのに十分厚い。例えば、中間層の性質に応じて、中間層の厚さは、０．１ｍｍと２ｍｍとの間に含まれ、好ましくは１ｍｍのオーダーである。
【００３８】
本例によれば、光ガイド４は、光ガイドの後面８から光ガイドの前面６を隔てる距離として定義される厚さが、１ｍｍと５０ｍｍとの間に含まれ、好ましくは２５ｍｍのオーダーである三次元壁を形成するように変曲点を含む。当然、他の実施形態（図示せず）によれば、光ガイドは、凹及び／又は凸であってもよい。
【００３９】
光ガイド４は、この光ガイドに沿って光線１６の伝搬を可能にするために、透明である。好ましくは、光ガイドの前面における測定「ヘーズ（ＨＡＺＥ）」値は、６０％と９８％との間に含まれ、好ましくは７０％を超える。限定されない例として、光ガイド４は、ポリ（メチルメタクリレート）（ＰＭＭＡ）及び／又はポリカーボネート（ＰＣ）から形成される。
【００４０】
更に、第１のマスク２０は、上述の材料のうち１つから形成され、光線１６に対して不透明であるように処理される。実際には、光ガイド４は、光ガイド４の第１の端部１２で発光ダイオードによって照明される場合、軸（Ａ−Ａ’）に沿って定義される、約２００ｍｍ〜３００ｍｍの長さ、更に、別の発光ダイオードが光ガイド４の第２の端部１４を照明する場合（図示せず）、最大６００ｍｍの長さを有してもよい。
【００４１】
図３は、ここで本発明による照明デバイス２Ｂの第２の実施形態を例示する。この実施形態は、中間層２２が第１のマスク２０の端部２４から後退されているという点で、上述の例と異なる。その結果、前面６に面する観察者は、中間層２２を観察するのが難しい。好ましくは、第１のマスク２０の端部２４は、中間層２２の縁で観察可能なホットポイントの印象を減らすようにした長さだけ中間層フィルム２２から突出する。ここで、「ホットスポット」は、光源１８によって光ガイド４の前面６で局所的に多く照明された光ガイド４の領域を意味する。本例によれば、第１のマスクの端部２４は、５ｍｍと１５ｍｍとの間に含まれる長さ、好ましくは１０ｍｍのオーダーの長さだけ中間層から突出する。当然、この値は、中間層の厚さ及び光源の電力に応じて変わりやすい。
【００４２】
図４は、本発明による照明デバイス２Ｃの第３の実施形態を例示する。この実施形態は、前面６に面する観察者に対して中間層２２を完全に隠すように、第１のマスク２０の端部２４が光ガイド４の前面６の一部を覆うという点で、上述の例と異なる。好ましくは、端部２４は、光ガイド４の前面６と直接接触している。その結果、第１のマスク２０及び光ガイドは、特に、湿気及び塵埃から中間層フィルム２２を保護するハウジングを形成する。好ましい実施形態によれば、第１のマスク２０の端部２４は、上述のホットスポットの印象を減らすために、前面６上で５ｍｍと６ｍｍとの間に含まれる長さにわたって延在する。
【００４３】
図５は、本発明による照明デバイス２Ｄの第４の実施形態を例示する。この第４の例は、光ガイド４が、光ガイド４の第２の端部１４を画定する側面１０の一部と光ガイド４の前面６の一部とに開口する溝を含むという点で、上述の例と異なる。この溝は、前面６と面一の第２のマスク２１を収容するように構成されている。第１のマスク２０と同様に、第２のマスク２１の存在は、光ガイドの端部におけるホットスポットの感じを弱めることを目的とする。好ましくは、この第２のマスクを成形して、この溝を形成する。好ましくは、第１及び第２のマスクを、光ガイド４上に同時に成形する。
【００４４】
図６は、光ガイド４が、光ガイド４の後面８に円錐空洞２６を含む、本発明による照明デバイス２Ｅの第５の実施形態を例示する。各空洞２６は、観察者に対して光ガイドの光出力を均一化する、更に散乱異常を除去するために、光ガイド４の第１の端部１２と第２の端部１４との間で伝搬する光線１６の一部を散乱させるように構成されている。
【００４５】
好ましくは、第１のマスクの後部で観察する視角を観察者が傾ける場合、観察者が第１のマスクを越えて光をより良く感知することができる一方、第１のマスク２０で光ガイド４における光線１６の最適伝搬を維持するために、少数の空洞２６を第１のマスク２０と反対側に設ける。好ましくは、光ガイドの第１の端部１２から空洞２６を隔てる最短距離は、５ｍｍと２０ｍｍとの間に含まれ、好ましくは１０ｍｍのオーダーである。当然、第１のマスク２０と同様に、第２のマスク２１は、同じ理由で、少数の空洞２６を覆ってもよい。
【００４６】
図７は、本発明による照明デバイス２Ｆの第６の実施形態を例示する。この新しい実施形態は、反射層で覆われた板２８を照明デバイス２Ｆが含むという点で、第５の実施形態と異なる。この反射層は、光ガイド４の後面８と反対側に置かれる。より正確には、反射層は、光ガイド４によって散乱された光を光ガイド４の前面６の方へ反射するように構成されている。限定されない例として、板２８を覆う反射層は、中間層２２と同じ性質、即ち、滑らかな金属化表面を有してもよい。有利なことに、これは、観察者が光ガイド４の前面６の観察角度を変える場合に空洞２６が移動する光ガイド４の前面６の観察者に対する視覚的効果として生成することによって、空洞２６に動的効果を与えることができる。逆に、反射層上で反射する光を均一化する、従って光ガイド４によって放出された均一光帯の印象を強調するために、板２８を覆う反射層は、ザラザラの面を有してもよい。
【００４７】
変型実施形態によれば、光ガイド４は無色であり、板２８を覆う反射層は、より大量の光の反射を支持するために明るい。好ましい実施形態によれば、反射層は、本発明による照明デバイスを設けた自動車の車体の色と同様の色を有する。従って、光源による光信号の放出が無い場合、光ガイドにより、外光が反射層上で反射して、車体の均一性の印象を与えることができる。従って、この実施形態は、車体上の照明デバイスのより美的な統一性を提供する。
【００４８】
本発明の別の変型実施形態（図示せず）によれば、光ガイド４の漸進的照明の効果を生成するように、光源によって放出される光の強度及び／又は色を漸進的に変えることができる照明デバイスによって、光源を制御する。
【００４９】
好ましくは、上述の照明デバイスは、自動車用の合図灯又は側灯、例えば、合図灯及び／又は位置標示灯の追加要素を装備することを目的とする。一例として、上述の第６の実施形態を、光学ケース３２に一体化して、図８及び図９に例示する合図灯３を形成してもよい。有利なことに、光ガイド４は、合図灯３の外部スクリーンを形成する。その結果、光ガイドは、次の２つの機能、光学ケース３２に存在する構成要素を保護する機能、及び本発明による合図灯を設けた自動車の方向の変更及び／又は位置を観察者に警告するために光信号を光ガイドに表示する機能を同時に保証する。従って、特定の保護スクリーンをもはや使用する必要がなく、有利なことに、このようなスクリーンなしで済ますことができ、合図灯の奥行き及び重量を減らすことができる。一例として、本発明による合図灯の奥行きは、したがって５０ｍｍ以下又は１５ｍｍ以下、好ましくは９ｍｍ以下であってもよい。本発明によって提案されるような浅い合図灯は、より小さい容積のために、より幅広い種類の車体に一層適応することができる。別の利点によれば、第１のマスク２０及び第２のマスク２１は、本発明による照明デバイスによって放出される光帯を個性化するために、輪郭が様々な形状である窓を画定するように、好ましくは、光ガイドの前面６の上にオーバーモールドされた、図９に例示するようなフレームを形成する。
【００５０】
上述のように、更に、本発明は、上述のような照明デバイスを製造する方法に関する。限定されない例によれば、この製造方法は、プラスチック材料の高温射出の技法によって、その目的のために設計された型で、光ガイド４を成形する第１のステップを実行する。使用されるプラスチック材料は、例えば、ポリメチルメタクリレート（ＰＭＭＡ）及び／又はポリカーボネート（ＰＣ）である。図４に例示するように、光ガイドは、光ガイドのより大きい面で、後面８と反対側の前面６によって画定される。本例によれば、前面６によって画定される面は、数ｃｍ２と数ｍ２との間に含まれる。光ガイド４の厚さは、上述の値の範囲に含まれる。光学ケース用の外部スクリーンとしての機能を果たすことができる、三次元壁を形成するように、光ガイド４を製造する。
【００５１】
次に、第２のステップ中に、光ガイド４の第１の端部１２に位置する、光ガイド４の前面６の一部に、上述のような中間層２２を塗布する。光ガイド４の前面６の温度が８０℃未満、好ましくは６０℃未満であるように、光ガイド４が十分冷却された後に、この第２のステップを実行する。従って、中間層の変形又は劣化の危険性は制限される。中間層２２の厚さは、上述の値の範囲に含まれる。
【００５２】
第３及び最後のステップ中に、光ガイド４を形成するために使用されるプラスチック材料と互換性があるプラスチック材料の射出によって、本発明による第１のマスク２０を形成するために中間層２２をオーバーモールドする。「互換性がある」とは、光ガイド上に接着及びシール層を形成するプラスチック材料の使用を意味する。より正確には、光ガイド４と第１のマスク２０との間に中間層２２を封入するように、図４に例示するように、中間層２２及び光ガイド４の前面６の一部に対して、プラスチック材料を薄く塗る。
【００５３】
従って、有利なことに、中間層２２を外部環境から保護する。照明デバイス２Ｃを、自動車合図灯用の外部スクリーンとして使用してもよい。その結果、特定の保護スクリーンを照明デバイスの前に置いて照明デバイスを外部環境から保護する必要がもはやないので、合図灯は、最新技術に対して非常に薄い厚さを有する。
【図１】
2020520047.tif 000003
【図２】
2020520047.tif 000004
【図３】
2020520047.tif 000005
【図４】
2020520047.tif 000006
【図５】
2020520047.tif 000007
【図６】
2020520047.tif 000008
【図７】
2020520047.tif 000009
【図８】
2020520047.tif 000010
【図９】
2020520047.tif 000011
【国際調査報告】
2020520047.tif 000012
2020520047.tif 000013
2020520047.tif 000014
2020520047.tif 000015
2020520047.tif 000016
2020520047.tif 000017